(57)【特許請求の範囲】
【請求項１】
パチンコ遊技機の遊技盤の盤面に沿い設けられる支持壁と、この支持壁の両対向端部からその前側にて互いに接近する方向に長手状に延出される一対の案内部材とを有する基体と、
一対の可動装飾手段と、噛合手段と、回転電動機と、ばね手段とを備えており、
前記一対の可動装飾手段は、
前記一対の案内部材にその前面側から長手方向に沿い互いに対向して位置するように移動可能に支持される一対の可動装飾部材と、
当該一対の可動装飾部材に対応するように互いに対向して接近する方向に或いは離れる方向に移動可能に前記支持壁に沿い設けられる一対のラックと、
当該一対のラックと前記一対の可動装飾部材との間に連結されて前記一対のラックの互いに接近する方向への移動に応じて前記一対の可動装飾部材を互いに接近する方向及び互いに離れる方向のいずれか一方へ移動させ、また、前記一対のラックの互いに離れる方向への移動に応じて前記一対の可動装飾部材を互いに接近する方向及び互いに離れる方向のいずれか他方へ移動させる連結手段とを具備してなり、
前記噛合手段は、
前記回転電動機に同軸的に支持されて当該回転電動機と同一方向に回転するピニオンと、
前記ピニオン及び前記一対のラックの一方のラックの双方に噛合するように前記支持壁に支持されて前記ピニオン及び前記一方のラックとともに前記一対の可動装飾部材を互いに離れる方向に移動させるように第１噛合作動し或いは前記一対の可動装飾部材を互いに接近させる方向に移動させるように第２噛合作動する一側歯車部材と、
他方のラック及び前記ピニオンの双方に噛合するように前記支持壁に支持されて前記他方のラック及び前記ピニオンとともに前記第１噛合作動し或いは前記第２噛合作動する他側歯車部材とを具備してなり、
前記回転電動機は、前記噛合手段の前記一側及び他側の歯車部材を前記第１噛合作動し或いは前記第２噛合作動すべく駆動するようになっており、  
前記連結手段は、
前記一対の可動装飾部材の一方と前記一対のラックのうち前記一方の可動装飾部材に対応するラックとの間に連結される第１長手状連結部材であってその長手方向中間部位にて前記支持壁の下縁部から前方へ延出する延出壁に横方向に回動可能に支持される第１長手状連結部材と、
他方の可動装飾部材と他方のラックとの間に連結される第２長手状連結部材であってその長手方向中間部位にて前記支持壁の前記延出壁に横方向に回動可能に支持される第２長手状連結部材とを具備して、
前記第１及び第２の長手状連結部材にて、前記一対のラックの互いの接近する方向への移動に伴い互いに逆方向へ傾動して前記一対の可動装飾部材を互いに離れる方向に移動させ、また、前記一対のラックの互いの離れる方向への移動に伴い互いに逆方向へ傾動して前記一対の可動装飾部材を互いに接近する方向に移動させるようになっており、
前記ばね手段は、前記一対のラックの間に介装されて当該一対のラックの対向間隔の最大値よりも長い自然長を有するコイルスプリングである可動演出装置。
【請求項２】
パチンコ遊技機の遊技盤の盤面に沿い設けられる支持壁と、この支持壁の両対向端部からその前側にて互いに接近する方向に長手状に延出される一対の案内部材とを有する基体と、
一対の可動装飾手段と、噛合手段と、回転電動機と、ばね手段とを備えており、
前記一対の可動装飾手段は、
前記一対の案内部材にその前面側から長手方向に沿い互いに対向して位置するように移動可能に支持される一対の可動装飾部材と、
当該一対の可動装飾部材に対応するように互いに対向して接近する方向に或いは離れる方向に移動可能に前記支持壁に沿い設けられる一対のラックと、
当該一対のラックと前記一対の可動装飾部材との間に連結されて前記一対のラックの互いに接近する方向への移動に応じて前記一対の可動装飾部材を互いに接近する方向及び互いに離れる方向のいずれか一方へ移動させ、また、前記一対のラックの互いに離れる方向への移動に応じて前記一対の可動装飾部材を互いに接近する方向及び互いに離れる方向のいずれか他方へ移動させる連結手段とを具備してなり、
前記噛合手段は、
前記回転電動機に同軸的に支持されて当該回転電動機と同一方向に回転するピニオンと、
当該ピニオン及び前記一対のラックの一方のラックの双方に噛合するように前記支持壁に支持されて前記ピニオン及び前記一方のラックとともに前記一対の可動装飾部材を互いに離れる方向に移動させるように第１噛合作動し或いは前記一対の可動装飾部材を互いに接近させる方向に移動させるように第２噛合作動する一側歯車部材と、
他方のラック及び前記ピニオンの双方に噛合するように前記支持壁に支持されて前記他方のラック及び前記ピニオンとともに前記第１噛合作動し或いは前記第２噛合作動する他側歯車部材とを具備してなり、
前記回転電動機は、前記噛合手段の前記一側及び他側の歯車部材を前記第１噛合作動し或いは前記第２噛合作動すべく駆動するようになっており、  
前記連結手段は、
前記一対の可動装飾部材の一方と前記一対のラックのうち前記一方の可動装飾部材に対応するラックとの間に連結される第１長手状連結部材であってその長手方向中間部位にて前記支持壁の下縁部から前方へ延出する延出壁に横方向に回動可能に支持される第１長手状連結部材と、
他方の可動装飾部材と前記他方のラックとの間に連結される第２長手状連結部材であってその長手方向中間部位にて前記支持壁の前記延出壁に横方向に回動可能に支持される第２長手状連結部材とを具備して、
前記第１及び第２の長手状連結部材にて、前記一対のラックの互いに接近する方向への移動に伴い互いに逆方向へ傾動して前記一対の可動装飾部材を互いに離れる方向に移動させ、また、前記一対のラックの互いの離れる方向への移動に伴い互いに逆方向へ傾動して前記一対の可動装飾部材を互いに接近する方向に移動させるようになっており、
前記ばね手段は、前記一対のラックの間に介装されて当該一対のラックの対向間隔の最小値よりも短い自然長を有するコイルスプリングである可動演出装置。
【請求項３】
遊技盤と、当該遊技盤に設けてなる可動演出装置とを備えるパチンコ遊技機において、
前記可動演出装置は、請求項１または２に記載の可動演出装置であることを特徴とするパチンコ遊技機。
【発明の詳細な説明】
【技術分野】
【０００１】
本発明は、可動演出装置及びこの可動演出装置を備えたパチンコ遊技機に関する。
【背景技術】
【０００２】
従来、パチンコ遊技機においては、下記特許文献に記載のパチンコ遊技機が提案されている。このパチンコ遊技機においては、２つのギミックが、左右対称に配設されており、当該２つのギミックは、駆動機構により、左右方向において互いに逆方向へ傾動するように駆動される。
【０００３】
ここで、上記駆動機構は、左右一対のラックと、これらラックに噛合する左右一対のピニオンと、これらピニオンを支持する左右一対のモータとにより構成されている。これにより、左右一対のピニオンが、左右一対のラックとの噛合のもとに左右一対のモータの各回転に伴い互いに逆方向に移動して、２つのギミックを上述のごとく傾動させる。
【先行技術文献】
【特許文献】
【０００４】
【特許文献１】特開２００９−１９５３３９号公報
【発明の概要】
【発明が解決しようとする課題】
【０００５】
上記パチンコ遊技機におけるギミックの構成によると、駆動機構が、上述のごとく、左右一対のラック及び左右一対のピニオンによる噛合構成からなる。このため、ガタが、ラックとピニオンとの間に必然的に生じ、各ギミックの傾動動作がばらつく。換言すれば、各ギミックが、一様な傾動動作をすることができず、遊技者にとっては、各ギミックの演出に対する見映えがよくない。
【０００６】
そこで、本発明は、以上のようなことに対処するため、一対の可動装飾手段と駆動源との間に介装される噛合構成内に生じがちなガタを、弾力でもって吸収するように工夫を凝らし、一対の可動装飾手段の各逆方向移動のばらつきをなくするようにした可動演出装置及びこの可動演出装置を備えたパチンコ遊技機を提供することを目的とする。
【課題を解決するための手段】
【０００７】
上記課題の解決にあたり、本発明に係る可動演出装置は、請求項１の記載によれば、
パチンコ遊技機の遊技盤（１０）の盤面に沿い設けられる支持壁（２１０ａ）と、この支持壁の両対向端部からその前側にて互いに接近する方向に長手状に延出される一対の案内部材（２３０ａ、２３０ｂ）とを有する基体（２１０）と、
一対の可動装飾手段（２２０ａ、２２０ｂ、２５０ａ、２５０ｂ、２７０ａ、２７０ｂ）と、噛合手段（２４１〜２４４）と、回転電動機（２８０）と、ばね手段（２６０）とを備えている。
ここで、一対の可動装飾手段は、
一対の案内部材にその前面側から長手方向に沿い互いに対向して位置するように移動可能に支持される一対の可動装飾部材（２２０ａ、２２０ｂ）と、
当該一対の可動装飾部材に対応するように互いに対向して接近する方向に或いは離れる方向に移動可能に支持壁に沿い設けられる一対のラック（２５０ａ、２５０ｂ）と、
当該一対のラックと一対の可動装飾部材との間に連結されて一対のラックの互いに接近する方向への移動に応じて一対の可動装飾部材を互いに接近する方向及び互いに離れる方向のいずれか一方へ移動させ、また、一対のラックの互いに離れる方向への移動に応じて一対の可動装飾部材を互いに接近する方向及び互いに離れる方向のいずれか他方へ移動させる連結手段（２７０ａ、２７０ｂ）とを具備してなり、
噛合手段は、
回転電動機に同軸的に支持されて当該回転電動機と同一方向に回転するピニオン（２４１）と、
ピニオン及び一対のラックの一方のラック（２５０ａ）の双方に噛合するように支持壁に支持されてピニオン及び上記一方のラックとともに一対の可動装飾部材を互いに離れる方向に移動させるように第１噛合作動し或いは一対の可動装飾部材を互いに接近させる方向に移動させるように第２噛合作動する一側歯車部材（２４４）と、
他方のラック（２５０ｂ）及びピニオンの双方に噛合するように支持壁に支持されて上記他方のラック及びピニオンとともに上記第１噛合作動し或いは上記第２噛合作動する他側歯車部材（２４２、２４３）とを具備してなり、
回転電動機は、噛合手段の一側及び他側の歯車部材を上記第１噛合作動し或いは上記第２噛合作動すべく駆動するようになっており、  
連結手段は、
一対の可動装飾部材の一方と一対のラックのうち上記一方の可動装飾部材に対応するラックとの間に連結される第１長手状連結部材であってその長手方向中間部位にて支持壁の下縁部から前方へ延出する延出壁（２１０ｂ）に横方向に回動可能に支持される第１長手状連結部材（２７０ａ）と、
他方の可動装飾部材と他方のラックとの間に連結される第２長手状連結部材であってその長手方向中間部位にて支持壁の上記延出壁に横方向に回動可能に支持される第２長手状連結部材（２７０ｂ）とを具備して、
第１及び第２の長手状連結部材にて、一対のラックの互いの接近する方向への移動に伴い互いに逆方向へ傾動して一対の可動装飾部材を互いに離れる方向に移動させ、また、一対のラックの互いの離れる方向への移動に伴い互いに逆方向へ傾動して一対の可動装飾部材を互いに接近する方向に移動させるようになっており、
ばね手段は、一対のラックの間に介装されて当該一対のラックの対向間隔の最大値よりも長い自然長を有するコイルスプリングである。
【０００８】
これによれば、上述のように、ばね手段は、一対のラックの間に介装されて当該一対のラックの対向間隔の最大値よりも長い自然長を有するコイルスプリングである。
【００１０】
従って、回転電動機による駆動のもとに、ピニオン、一側歯車部材及び他側歯車部材が、その第１噛合作動により、一対の可動装飾部材を互いに離れる方向に作動させる過程において、コイルスプリングの自然長が一対のラックの対向間隔最大値よりも長いことにより、当該コイルスプリングは圧縮状態にあって一対のラックを互いに離れる方向に反撥力を発揮する。これに伴い、当該コイルスプリングの反撥力がピニオン、一側歯車部材及び他側歯車部材に対しその第１噛合作動に従う方向に作用する。
【００１１】
また、回転電動機による駆動のもとに、ピニオン、一側歯車部材及び他側歯車部材がその第２噛合作動により一対の可動装飾部材を接近する方向に作動させる過程において、コイルスプリングの自然長が一対のラックの対向間隔最大値よりも長いことにより、当該コイルスプリングは圧縮状態にあって一対のラックを互いに離れる方向に反撥力を発揮する。これに伴い、当該コイルスプリングの反撥力がピニオン、一側歯車部材及び他側歯車部材に対しその第２噛合作動に逆らう方向に作用する。
【００１３】
以上によれば、噛合手段の一側及び他側の歯車部材と一対のラックとの間のバックラッシュを含めた回転電動機から一対の可動装飾部材までの間に生じる機械的組み付け誤差等に起因して発生しがちなガタが、一対の可動装飾部材の互いに離れる過程及び互いに接近する過程において、上述のようなコイルスプリングの作用により吸収されてなくなり、その結果、一対の可動装飾部材が互いに一様な作動変化を発揮することとなって、遊技者にとり、一対の可動装飾部材の演出の見映えが良好に確保され得る。
【００２７】
また、本発明に係る可動演出装置は、請求項２の記載によれば、
パチンコ遊技機の遊技盤（１０）の盤面に沿い設けられる支持壁（２１０ａ）と、この支持壁の両対向端部からその前側にて互いに接近する方向に長手状に延出される一対の案内部材（２３０ａ、２３０ｂ）とを有する基体（２１０）と、
一対の可動装飾手段（２２０ａ、２２０ｂ、２５０ａ、２５０ｂ、２７０ａ、２７０ｂ）と、噛合手段（２４１〜２４４）と、回転電動機（２８０）と、ばね手段（２６０）とを備えている。
ここで、一対の可動装飾手段は、
一対の案内部材にその前面側から長手方向に沿い互いに対向して位置するように移動可能に支持される一対の可動装飾部材（２２０ａ、２２０ｂ）と、
当該一対の可動装飾部材に対応するように互いに対向して接近する方向に或いは離れる方向に移動可能に支持壁に沿い設けられる一対のラック（２５０ａ、２５０ｂ）と、
当該一対のラックと一対の可動装飾部材との間に連結されて一対のラックの互いに接近する方向への移動に応じて一対の可動装飾部材を互いに接近する方向及び互いに離れる方向のいずれか一方へ移動させ、また、一対のラックの互いに離れる方向への移動に応じて一対の可動装飾部材を互いに接近する方向及び互いに離れる方向のいずれか他方へ移動させる連結手段（２７０ａ、２７０ｂ）とを具備してなり、
噛合手段は、
回転電動機に同軸的に支持されて当該回転電動機と同一方向に回転するピニオン（２４１）と、
ピニオン及び一対のラックの一方のラック（２５０ａ）の双方に噛合するように支持壁に支持されてピニオン及び上記一方のラックとともに一対の可動装飾部材を互いに離れる方向に移動させるように第１噛合作動し或いは一対の可動装飾部材を互いに接近させる方向に移動させるように第２噛合作動する一側歯車部材（２４４）と、
他方のラック（２５０ｂ）及びピニオンの双方に噛合するように支持壁に支持されて上記他方のラック及びピニオンとともに上記第１噛合作動し或いは上記第２噛合作動する他側歯車部材（２４２、２４３）とを具備してなり、
回転電動機は、噛合手段の一側及び他側の歯車部材を上記第１噛合作動し或いは上記第２噛合作動すべく駆動するようになっており、  
連結手段は、
一対の可動装飾部材の一方と一対のラックのうち上記一方の可動装飾部材に対応するラックとの間に連結される第１長手状連結部材であってその長手方向中間部位にて支持壁の下縁部から前方へ延出する延出壁（２１０ｂ）に横方向に回動可能に支持される第１長手状連結部材（２７０ａ）と、
他方の可動装飾部材と他方のラックとの間に連結される第２長手状連結部材であってその長手方向中間部位にて支持壁の上記延出壁に横方向に回動可能に支持される第２長手状連結部材（２７０ｂ）とを具備して、
第１及び第２の長手状連結部材にて、一対のラックの互いに接近する方向への移動に伴い互いに逆方向へ傾動して一対の可動装飾部材を互いに離れる方向に移動させ、また、一対のラックの互いの離れる方向への移動に伴い互いに逆方向へ傾動して一対の可動装飾部材を互いに接近する方向に移動させるようになっており、
ばね手段は、一対のラックの間に介装されて当該一対のラックの対向間隔の最小値よりも短い自然長を有するコイルスプリングである。
【００２８】
これによれば、上述のように、ばね手段は、一対のラックの間に介装されて当該一対のラックの対向間隔の最小値よりも短い自然長を有するコイルスプリングである。
【００２９】
従って、回転電動機による駆動のもとに、ピニオン並びに噛合手段の一側及び他側の歯車部材がその第１噛合作動により一対の可動装飾部材を互いに離れる方向に作動させる過程において、コイルスプリングの自然長が一対のラックの対向間隔最小値よりも短いことにより、コイルスプリングは伸長状態にあって一対のラックを互いに引き寄せる方向に引っ張り力を発揮する。これに伴い、当該コイルスプリングの引っ張り力がピニオン及び噛合手段の一側及び他側の歯車部材に対しその第１噛合作動に逆らう方向に作用する。
【００３０】
また、回転電動機による駆動のもとに、ピニオン並びに噛合手段の一側及び他側の歯車部材がその第２噛合作動により一対の可動装飾部材を接近する方向に作動させる過程において、コイルスプリングの自然長が一対のラックの対向間隔最小値よりも短いことにより、コイルスプリングは伸長状態にあって一対のラックを互いに接近する方向に引き寄せる方向に引っ張り力を発揮する。これに伴い、当該コイルスプリングの引っ張り力がピニオン及び噛合手段の一側及び他側の歯車部材に対しその第２噛合作動に従う方向に作用する。
【００３１】
以上によれば、噛合手段の一側及び他側の歯車部材と一対のラックとの間のバックラッシュを含めた回転電動機から一対の可動装飾部材までの間に生じる機械的組み付け誤差等に起因して発生しがちなガタが、一対の可動装飾部材の互いに離れる過程及び互いに接近する過程において、上述のようなコイルスプリングの作用により吸収されてなくなり、その結果、一対の可動装飾部材が互いに一様な作動変化を発揮することとなって、遊技者にとり、一対の可動装飾部材の演出の見映えが良好に確保され得る。
【００４０】
また、本発明に係るパチンコ遊技機は、請求項３の記載によれば、
遊技盤と、当該遊技盤に設けてなる可動演出装置とを備えるパチンコ遊技機において、可動演出装置は、請求項１または２に記載の可動演出装置である。
【００４１】
これによれば、請求項１または２に記載の発明の作用効果を達成し得るパチンコ遊技機の提供が可能となる。
【発明の効果】
【００４２】
本発明によれば、ばね手段が、一対の可動装飾部材の間に介装してなるコイルスプリングであって当該一対の可動装飾部材の対向間隔の最大値より長い自然長或いは最小値より短い自然長を有する。
【００４３】
従って、一対の可動装飾部材の対向間隔の増大或いは減少に応じて、コイルスプリングが、噛合手段の一側及び他側の歯車部材と一対のラックとの間のバックラッシュを含めた回転電動機から一対の可動装飾部材までの間に生じる機械的組み付け誤差等に起因して発生しがちなガタを、吸収するように作用して、一対の可動装飾部材の演出の見映えを向上させ得る。
【００４４】
なお、上記各手段の括弧内の符号は、後述する実施形態に記載の具体的手段との対応関係を示す。
【図面の簡単な説明】
【００４５】
【図１】本発明に係るパチンコ遊技機の第１実施形態を示す正面図である。
【図２】図１のパチンコ遊技機の遊技盤を示す正面図である。
【図３】図２の遊技盤に組み込まれた可動演出装置において、左右両側可動装飾部材が閉じた状態を示す斜視図である。
【図４】図３の可動演出装置において、左右両側可動装飾部材が閉じた状態を示す背面図である。
【図５】図３の可動演出装置において、左側ラックと左側可動装飾部材との連結構成を示す平面図である。
【図６】図３の可動演出装置において、右側ラックと右側可動装飾部材との連結構成を示す平面図である。
【図７】図３の可動演出装置において、左右両側可動装飾部材が開いた状態を示す斜視図である。
【図８】図３の可動演出装置において、左右両側可動装飾部材が開いた状態を示す背面図である。
【図９】当該パチンコ遊技機の電子制御回路を示すブロック図である。
【発明を実施するための形態】
【００４６】
以下、本発明の各実施形態を図面により説明する。
（第１実施形態）
図１は、本発明が適用されるパチンコ遊技機の第１実施形態を示している。当該パチンコ遊技機は、パチンコホール（図示しない）内の島（図示しない）に立設されるもので、このパチンコ遊技機は、機枠（図示しない）と、この機枠に対し前後方向に開閉可能に支持される遊技機本体Ｂ及び前扉ＦＤとにより構成されている。
【００４７】
なお、前扉ＦＤは、図１にて示すごとく、前枠ＦＤ１の中空部に窓ガラスＦＤ２を嵌め込んで構成されている。また、当該パチンコ遊技機は、いわゆる右打ちタイプのデジパチ型パチンコ遊技機からなるもので、図１において、図示左右方向が、当該パチンコ遊技機の左右方向に対応し、図示奥行き方向が、当該パチンコ遊技機の前後方向に対応し、また、図示上下方向が、当該パチンコ遊技機の上下方向に対応する。
【００４８】
遊技機本体Ｂは、図２にて示すごとく、遊技盤１０を備えており、この遊技盤１０は、遊技機本体Ｂの枠体（図示しない）に嵌装されている。なお、遊技機本体Ｂは、上記枠体が上記機枠によって支持されており、上記機枠に対して前後方向へ開閉可能とされている。
【００４９】
また、当該遊技機本体Ｂは、ガイドレール２０、環状のセンター構造物３０及び遊技釘群４０を備えている。ガイドレール２０は、図２にて示すごとく、遊技盤１０の盤面１１の外周部に沿い配設されており、このガイドレール２０は、その内周側において、遊技盤１０の盤面１１上に遊技領域１１ａを形成する。
【００５０】
しかして、当該ガイドレール２０は、操作ハンドルＨの図１にて図示時計方向への回動操作により、球発射装置（図示しない）から発射される遊技球を遊技領域１１ａの左側上部内に案内する。なお、上記球発射装置は、遊技機本体Ｂの上記枠体の右下部に配設されている。また、操作ハンドルＨは、上記球発射装置の一構成部品として遊技機本体Ｂの上記枠体の右下部にその前面から設けられている。
【００５１】
ここで、当該球発射装置は、操作ハンドルＨの回動角度に応じた打球力でもって、ガイドレール２０に沿い遊技球を所定の時間間隔にて順次発射するように構成されている。なお、操作ハンドルＨの回動角度は、所定回動角度以下に規制されている。
【００５２】
しかして、操作ハンドルＨの回動角度を、上記所定回動角度の最大値（最大回動角度）にすれば、遊技球は、操作ハンドルＨの最大の打球力でもって、ガイドレール２０に沿い発射されて、センター構造物３０の右側へ転動する。以下、このように操作ハンドルＨをその最大回動角度まで回動する操作を、右打ち操作という。
【００５３】
なお、遊技領域１１ａの一部を構成する遊技球通路１１ｂが、センター構造物３０の右側部とガイドレール２０との間に形成されている。このため、最大の発射速度で発射された遊技球がガイドレール２０の内周面に沿って移動し遊技球通路１１ｂへと案内されると、この遊技球は、遊技球通路１１ｂを通過した後、センター構造物３０の右下方へと落下していく。
【００５４】
また、操作ハンドルＨの回動角度を中間回動角度にすれば、遊技球は、センター構造物３０の右側に達することなく左側へ転動する。以下、このように操作ハンドルＨをその中間回動角度まで回動する操作を、左打ち操作という。
【００５５】
以上のように、右打ちタイプのパチンコ遊技機は、通常遊技状態では、遊技者による左打ち操作のもとに、遊技球の発射速度を低く抑えて遊技球をセンター構造物３０の左側へ誘導するようにし、また、遊技者に対して有利な遊技状態となる特定遊技状態（大当たりなど）の発生時には、遊技者による右打ち操作のもとに、遊技球の発射速度を最大にして、遊技球をセンター構造物３０の右側へ誘導し、遊技球通路１１ｂを通過して、アタッカー１００への入賞の機会及び右側スルーゲート７０ｂの通過の機会を形成する。このように、右打ちタイプのパチンコ遊技機は、通常遊技状態と特定遊技状態とで、遊技者に対して、異なる操作ハンドルの操作を行わせて遊技させるタイプのパチンコ遊技機である。
【００５６】
センター構造物３０は、図２にて示すごとく、遊技盤１０の中央開口部の外周部に盤面１１側から組み付けられている。遊技釘群４０は、多数の遊技釘４１からなるもので、当該多数の遊技釘４１は、ガイドレール２０の内周側において、センター構造物３０の左上側から左下側を介し右下側にかけて、遊技盤１０にその盤面１１側から分散して打ち込まれている。しかして、遊技釘群４０によれば、ガイドレール２０から遊技領域１１ａの左側上部内に順次案内される遊技球は、遊技盤１０の盤面１１に沿い、各遊技釘４１との衝突を経て、下方へ転動する。
【００５７】
また、当該遊技機本体Ｂは、画像表示器５０を備えており、この画像表示器５０は、その表示面である液晶パネル５１にて、遊技盤１０の中央開口部から前方を臨むように、遊技盤１０にその裏面側から配設されている。しかして、この画像表示器５０は、表示制御回路（図示しない）による制御のもと、当該パチンコ遊技機による遊技の進行に伴い、大当たり抽選の結果を複数の装飾図柄により表示し、或いは、リーチ演出として各種の動画像を表示する等の種々の演出表示を行う。
【００５８】
また、当該遊技機本体Ｂは、第１始動口装置であるスタートチャッカー６０ａ、第２始動口装置である電動チューリップ６０ｂ、左右両側スルーゲート７０ａ、７０ｂ、風車８０、複数（３つ）の普通入賞口９０、表示器群１１０、及び大入賞口装置であるアタッカー１００を備えており、スタートチャッカー６０ａ、電動チューリップ６０ｂ、左右両側スルーゲート７０ａ、７０ｂ、風車８０、各普通入賞口９０及びアタッカー１００は、センター構造物３０とともに、左打ち操作による遊技球をスタートチャッカー６０ａに入賞させ易いように、かつ、右打ち操作による遊技球をスタートチャッカー６０ａに入賞させにくいように、図２に示す各配置位置にて、遊技盤１０の盤面１１に遊技領域１１ａ内にて組み付けられている。
【００５９】
ここで、スタートチャッカー６０ａは、センター構造物３０の下縁中央部の直下に位置しており、このスタートチャッカー６０ａは、その左右周辺に位置する複数の遊技釘４１（いわゆる道釘４１）により案内される遊技球やセンター構造物３０のステージ上から落下する遊技球に対し、入賞（始動入賞）の機会を与える。また、当該スタートチャッカー６０ａは、その遊技球の入賞に基づき、所定個数の賞球を払い出すとともに大当たり抽選の機会を形成する。なお、上記大当たり抽選は、当落抽選ともいい、遊技球の大量獲得を目的とする長当たり、遊技球の大量獲得を目的としない短当たり、遊技球の大量獲得を目的としない小当たり、遊技球の獲得を不能にするハズレのいずれであるかにつき抽選することをいう。
【００６０】
電動チューリップ６０ｂは、普通電動役物としての役割を果たすべく、スタートチャッカー６０ａの直下に位置しており、この電動チューリップ６０ｂは、その左右両側羽根部材の閉動作により、遊技球に対し入賞の機会を与える。また、当該電動チューリップ６０ｂは、上記左右両側羽根部材の開動作により、遊技球に対する入賞の機会を増大させる。なお、電動チューリップ６０ｂは、スタートチャッカー６０ａと同様の遊技球の始動入賞口装置としての役割をも兼ね、所定個数の賞球の払い出すととともに大当たり抽選の機会を形成する。
【００６１】
左右両側スルーゲート７０ａ、７０ｂのうち、左側スルーゲート７０ａは、図２にて示すごとく、センター構造物３０の左縁中央部の左側に位置している。これにより、操作ハンドルＨの左打ち操作によりセンター構造物３０の左側上部に案内された遊技球が当該左側スルーゲート７０ａの直上から遊技盤１０の盤面１１に沿い下方へ転動するとき、当該遊技球は左側スルーゲート７０ａを通過する機会を得る。なお、遊技球の左側スルーゲート７０ａの通過でもって、電動チューリップ６０ｂを所定の時間及び所定の回数だけ開放する機会を与えるための普通図柄の抽選が開始される。
【００６２】
一方、右側スルーゲート７０ｂは、図２にて示すごとく、センター構造物３０の右下側隅角部の右斜め下側に位置している。これにより、操作ハンドルＨの右打ち操作によりセンター構造物３０の右側上部内に案内された遊技球が遊技盤１０の盤面１１に沿い下方へ転動するとき、当該遊技球は右側スルーゲート７０ｂを通過する機会を得る。なお、遊技球の右側スルーゲート７０ｂの通過でもって、電動チューリップ６０ｂを所定の時間及び所定の回数だけ開放する機会を与えるための普通図柄の抽選が開始される。
【００６３】
風車８０は、左側スルーゲート７０ａの下方に位置しており、この風車８０は、遊技盤１０の盤面１１に沿い左側スルーゲート７０ａ或いはその周囲から下方へ転動する遊技球により衝突されたとき、回転しつつ当該遊技球を下方へ転動させる。
【００６４】
複数（３つ）の普通入賞口９０は、スタートチャッカー６０ａの左側に位置しており、これら各普通入賞口９０は、その直上から下方へ転動する遊技球に対し入賞の機会を与える。ここで、普通入賞口９０への遊技球の入賞に伴い、所定個数の賞球が払い出される。
【００６５】
表示器群１１０は、図２にて示すごとく、遊技盤１０の右下隅角部にその前面側から配設されており、この表示器群１１０は、普通図柄表示器、普通図柄保留器、特別図柄表示器及び特別図柄保留器でもって構成されている。
【００６６】
ここで、上記普通図柄表示器は、普通図柄を変動表示してこの普通図柄の変動表示の終了に伴い当該普通図柄の抽選結果を表示する。上記普通図柄保留器は、普通図柄の変動表示の保留数を表示する。
【００６７】
上記特別図柄表示器は、スタートチャッカー６０ａへの遊技球の入賞或いは電動チューリップ６０ｂへの遊技球の入賞に伴いなされる大当たり抽選の結果に基づき、特別図柄を変動表示して、この特別図柄の変動表示の終了に伴い大当たり抽選の結果を表示する。また、上記特別図柄保留器は、特別図柄の変動表示の保留数を表示する。
【００６８】
アタッカー１００は、図２にて示すごとく、電動チューリップ６０ｂの右斜め上方及び右側スルーゲート７０ｂの左斜め下方に位置するように、遊技盤１０にその盤面１１側から組み付けられており、このアタッカー１００は、その大入賞口の開放により、当該大入賞口への遊技球の入賞の機会を与える。
【００６９】
また、当該遊技機本体Ｂは、図２にて示すごとく、可動演出装置２００を備えており、この可動演出装置２００は、センター構造物３０の上縁下端部の幅方向全体に亘って設けられている。なお、可動演出装置２００は、左右両側可動装飾部材２２０ａ、２２０ｂを液晶パネル５１の上部前面に沿い左右逆方向に往復作動するように、遊技盤１０と液晶パネル５１との間において遊技盤１０にその裏面側から組み付けられている。
【００７０】
当該可動演出装置２００は、図３及び図４にて示すごとく、基体２１０と、この基体２１０に支持される左右両側アーム状案内部材２３０ａ、２３０ｂと、これらの左右両側アーム状案内部材２３０ａ、２３０ｂに支持される左右両側可動装飾部材２２０ａ、２２０ｂと、この左右両側可動装飾部材２２０ａ、２２０ｂを駆動するための左右両側噛合機構ＧＳ１、ＧＳ２と、この噛合機構ＧＳ１、ＧＳ２を駆動するステップモータ２８０とを備えている。
【００７１】
基体２１０は、支持壁２１０ａと、底壁２１０ｂと、後壁（図示しない）とを備えた横長略矩形状のプラスチック成型体からなり、可動演出装置２００は、この支持壁２１０ａによって遊技盤１０にその裏面側から組み付けられている。底壁２１０ｂは、支持壁２１０ａの下縁部から後方へＬ字状に折れ曲がって延出している。上記後壁は、底壁２１０ｂの延出縁部から上方へＬ字状に折れ曲がって支持壁２１０ａに沿い延出している。
【００７２】
左右両側アーム状案内部材２３０ａ、２３０ｂは、ともに、中空状のもので、当該左右両側アーム状案内部材２３０ａ、２３０ｂのうち、左側アーム状案内部材２３０ａは、支持壁２１０ａの左側端部から支持壁２１０ａの中央に向けて前方に凸な湾曲形状にて延出するように形成されている。この左側アーム状案内部材２３０ａは、左側長手状案内穴部２３１ａ及び左側連結穴部２３２ａを備えており、左側長手状案内穴部２３１ａは、左側アーム状案内部材２３０ａの延出方向に沿いその上下両壁部にその長手方向に沿い貫通状に形成されている。また、左側連結穴部２３２ａは、左側長手状案内穴部２３１ａの前壁部にその長手方向に沿い貫通状に形成されている。
【００７３】
一方、右側アーム状案内部材２３０ｂは、支持壁２１０ａの右側端部から支持壁２１０ａの中央に向けて前方に凸な湾曲形状にて延出するように形成されており、当該右側アーム状案内部材２３０ｂは、その延出端部にて、左側アーム状案内部材２３０ａの延出端部に右側から対向している。この右側アーム状案内部材２３０ｂは、右側長手状案内穴部２３１ｂ及び右側連結穴部２３２ｂを備えており、右側長手状案内穴部２３１ｂは、右側アーム状案内部材２３０ｂの延出方向に沿いその上下両壁部にその長手方向に沿い貫通状に形成されている。また、右側連結穴部２３２ｂは、右側長手状案内穴部２３１ｂの前壁部にその長手方向に沿い貫通状に形成されている。
【００７４】
以上のように構成することにより、左右両側アーム状案内部材２３０ａ、２３０ｂは、それぞれの各延出端部を支持壁２１０ａの前面にて互いに対向させるように位置している。
【００７５】
左右両側可動装飾部材２２０ａ、２２０ｂは、図３にて示すごとく、左右両側アーム状案内部材２３０ａ、２３０ｂに支持されており、この左右両側可動装飾部材２２０ａ、２２０ｂは、左右両側装飾部材本体２２１ａ、２２１ｂ及び複数（本第１実施形態においては、左右２つずつ）の装飾片２２２ａ〜２２２ｄを備えている。
【００７６】
左右両側装飾部材本体２２１ａ、２２１ｂのうち、左側装飾部材本体２２１ａは、左側アーム状案内部材２３０ａと同様に前方に凸な湾曲形状にて延出されて、当該左側アーム状案内部材２３０ａにその前面に沿い左側連結穴部２３２ａを介して移動可能に支持されている。
【００７７】
ここで、左側装飾部材本体２２１ａは、その背面側に設けられた２つの連結腕２２３ａ、２２３ｂを左側連結穴部２３２ａに挿通し、当該連結腕２２３ａ、２２３ｂでもって、左側アーム状案内部材２３０ａの長手状案内穴部２３１ａに沿って摺動する２つのローラー２３３ａ、２３３ｂに、それぞれ、連結されている。
【００７８】
しかして、左側装飾部材本体２２１ａは、後述するように、長手状案内穴部２３１ａに沿ったローラー２３３ａ、２３３ｂの摺動に伴って、左側アーム状案内部材２３０ａに沿って、その延出方向に往復移動する。
【００７９】
一方、右側可動装飾部材本体２２１ｂは、右側アーム状案内部材２３０ｂと同様に、前方に凸な湾曲形状にて延出されて、当該右側アーム状案内部材２３０ｂにその前面に沿い右側連結穴部２３２ｂを介して移動可能に支持されている。
【００８０】
ここで、右側可動装飾部材本体２２１ｂは、その背面側に設けられた２つの連結腕２２３ｃ、２２３ｄを右側連結穴部２３２ｂに挿通し、当該連結腕２２３ｃ、２２３ｄでもって、右側アーム状案内部材２３０ｂの長手状案内穴部２３１ｂに沿って摺動する２つのローラー２３３ｃ、２３３ｄに、それぞれ、連結されている。
【００８１】
しかして、右側可動装飾部材本体２２１ｂは、後述するように、長手状案内穴部２３１ｂに沿ったローラー２３３ｃ、２３３ｄの摺動に伴って、右側アーム状案内部材２３０ｂに沿って、その延出方向に往復移動する。
【００８２】
複数の装飾片２２２ａ〜２２２ｄは、左右両側可動装飾部材２２０ａ、２２０ｂの前面側（遊技者の側）に設けられている。本第１実施形態においては、４つの文字型装飾片２２２ａ〜２２２ｄが採用されており、左右両側可動装飾部材本体２２１ａ、２２１ｂに、それぞれ、２つずつ配設されている。
【００８３】
これらの装飾片２２２ａ〜２２２ｄは、それぞれ、その前面に複数の発光部を配した４グループの発光ダイオード群ＬＥＤ１〜ＬＥＤ４を電飾作動素子群として備えており、発光ダイオード駆動回路３４０（図９参照）による制御の下、左右両側可動装飾部材本体２２１ａ、２２１ｂの往復移動に伴って、或いは、独立して演出作動を行うように発光する。
【００８４】
このように、左右両側可動装飾部材本体２２１ａ、２２１ｂ及び複数の装飾片２２２ａ〜２２２ｄは、それぞれ、左右両側アーム状案内部材２３０ａ、２３０ｂの各前面に沿って、左右逆方向に往復移動する。ここで、本第１実施形態において、左右両側可動装飾部材本体２２１ａ、２２１ｂが互いに最も接近した状態にあり、４つの文字型装飾片２２２ａ〜２２２ｄが遊技盤１０の前面に揃った状態を可動装飾部材２２０ａ、２２０ｂが閉じた状態という（図３参照）。
【００８５】
一方、左右両側可動装飾部材本体２２１ａ、２２１ｂが互いに最も離れた状態にあり、４つの文字型装飾片２２２ａ〜２２２ｄが遊技盤１０の前面から左右に分かれた状態を可動装飾部材２２０ａ、２２０ｂが開いた状態という（図７参照）。このように、左右両側可動装飾部材２２０ａ、２２０ｂは、後述するように、左右両側可動装飾部材本体２２１ａ、２２１ｂの左右逆方向に往復移動に伴って開閉作動を繰り返す。
【００８６】
左右両側噛合機構ＧＳ１、ＧＳ２のうち左側噛合機構ＧＳ１は、ピニオン２４１と、平歯車２４４と、左側ラック２５０ａと、左側長手状連結部材２７０ａとを備えている。
【００８７】
ピニオン２４１は、小径平歯車により構成されて、支持壁２１０ａとその後壁との間にて、支持壁２１０ａの左側裏面中央部位を介しステップモータ２８０の回転軸２８２に同軸的に支持されている。
【００８８】
平歯車２４４は、大径平歯車により構成されて、支持壁２１０ａとその後壁との間にて、ピニオン２４１の左側に位置するように配列されている。しかして、当該平歯車２４４は、ピニオン２４１に噛合するように、支持壁２１０ａとその後壁との間に支持される支持軸２４４ａを介して回動自在に支持されている。
【００８９】
左側ラック２５０ａは、その長手方向に往復移動する長尺片であって、支持壁２１０ａとその後壁との間にて、その基端部２５１ａ及び延出端部２５２ａを、平歯車２４４の下側及び支持壁２１０ａの左外縁側に位置させるように、左右方向に底壁２１０ｂ上に沿い配設されている（図４参照）。
【００９０】
この左側ラック２５０ａは、基端部２５１ａの近傍上面に第１歯部２５３ａを備えており、この第１歯部２５３ａは平歯車２４４に噛合するようになっている。しかして、左側ラック２５０ａは、後述するように、第１歯部２５３ａによる平歯車２４４と噛合のもと、平歯車２４４の後述する回転に伴い左右方向に往復移動する。
【００９１】
また、この左側ラック２５０ａは、基端部２５１ａの近傍前面（遊技者の側）に第２歯部２５４ａを備えており、この第２歯部２５４ａは、後述のごとく、左側長手状連結部材２７０ａのセクター歯車部２７４ａ（後述する）に噛合するようになっている（図５参照）。
【００９２】
左側長手状連結部材２７０ａは、後述のごとく、基体２１０の底壁２１０ｂ上に支軸２７３ａを介し左右方向に回動可能に支持されており、当該左側長手状連結部材２７０ａは、その一方端部２７１ａにて、支持壁２１０ａの裏面側に位置し、他方端部２７２ａにて、支持壁２１０ａの前面側に延出している。
【００９３】
左側長手状連結部材２７０ａは、図５にて示すごとく、その一方端部２７１ａを、左側ラック２５０ａの第２歯部２５４ａと噛合するセクター歯車部２７４ａとして有しており、当該左側長手状連結部材２７０ａは、セクター歯車部２７４ａの中心にて底壁２１０ｂに支持した支軸２７３ａにより、左右方向に回動可能に支持されている。
【００９４】
また、左側長手状連結部材２７０ａは、他方端部２７２ａを、長穴状の連結穴部２７５ａとして有しており、この連結穴部２７５ａ内には、長手状案内穴部２３１ａに沿って摺動するローラー２３３ａが回動可能に連結されている。
【００９５】
しかして、図５において、左側ラック２５０ａが図示右方向に移動すると、左側長手状連結部材２７０ａが、セクター歯車部２７４ａによる左側ラック２５０ａの第２歯部２５４ａとの噛合のもとに、支軸２７３ａを中心に右回りに回転する。このことにより、左側長手状連結部材２７０ａの他方端部２７２ａの連結穴部２７５ａに連結されたローラー２３３ａがローラー２３３ｂと共に長手状案内穴部２３１ａに沿って図示左方向に摺動し、このローラー２３３ａ、２３３ｂに連結された左側可動装飾部材本体２２１ａ及び装飾片２２２ａ、２２２ｂが図示左方向に移動する。
【００９６】
一方、右側噛合機構ＧＳ２は、２つの平歯車２４２、２４３と、右側ラック２５０ｂと、右側長手状連結部材２７０ｂとを備えている。
【００９７】
平歯車２４２は、図４にて示すごとく、ピニオン２４１と同一外径を有する小径平歯車により構成されて、支持壁２１０ａとその後壁との間にて、ピニオン２４１の右側に位置するように配列されている。しかして、当該平歯車２４２は、ピニオン２４１に噛合するように、支持壁２１０ａとその後壁との間に支持してなる支持軸２４２ａにより回動自在に支持されている。
【００９８】
平歯車２４３は、平歯車２４４と同一の外径を有する大径平歯車により構成されて、支持壁２１０ａとその後壁との間にて、平歯車２４２の右側に位置するように配列されている。しかして、当該平歯車２４３は、平歯車２４２に噛合するように、支持壁２１０ａとその後壁との間に支持される支持軸２４３ａにより回動自在に支持されている。
【００９９】
右側ラック２５０ｂは、その長手方向に往復移動する長尺片であって、支持壁２１０ａとその後壁との間にて、その基端部２５１ｂ及び延出端部２５２ｂを、平歯車２４３の下側及び支持壁２１０ａの右外縁側に位置させるように、左右方向に底壁２１０ｂ上に沿い配設されている（図４参照）。
【０１００】
この右側ラック２５０ｂは、基端部２５１ｂの近傍上面に第１歯部２５３ｂを備えており、この第１歯部２５３ｂは平歯車２４３に噛合するようになっている。しかして、右側ラック２５０ｂは、後述するように、第１歯部２５３ｂによる平歯車２４３との噛合のもとに、平歯車２４３の後述する回転に伴い左右方向に往復移動する。
【０１０１】
また、この右側ラック２５０ｂは、延出端部２５２ｂ付近前面（遊技者の側）に第２歯部２５４ｂを備えており、この第２歯部２５４ｂは、右側長手状連結部材２７０ｂの第３歯部２７４ｂ（後述する）に噛合するようになっている（図６参照）。
【０１０２】
右側長手状連結部材２７０ｂは、後述のごとく、基体２１０の底壁２１０ｂ上に支軸２７３ｂを介し左右方向に回動可能に支持されており、当該右側長手状連結部材２７０ｂは、その一方端部２７１ｂを、右側ラック２５０ｂの第２歯部２５４ｂと噛合するセクター歯車部２７４ｂとして有しており、当該右側長手状連結部材２７０ｂは、セクター歯車部２７４ｂの中心にて底壁２１０ｂに支持した支軸２７３ｂにより、左右方向に回動可能に支持されている。
【０１０３】
また、右側長手状連結部材２７０ｂは、他方端部２７２ｂを、長穴状の連結穴部２７５ｂとして有しており、この連結穴部２７５ｂ内には、長手状案内穴部２３１ｂに沿って摺動するローラー２３３ｃが回動可能に連結されている。
【０１０４】
しかして、図８において、右側ラック２５０ｂが図示左方向に移動すると、右側長手状連結部材２７０ｂが、セクター歯車部２７４ｂによる右側ラック２５０ｂの第２歯部２５４ｂとの噛合のもとに、支軸２７３ｂを中心に左回りに回転する。このことにより、右側長手状連結部材２７０ｂの他方端部２７２ｂの連結穴部２７５ｂに連結されたローラー２３３ｃがローラー２３３ｄと共に長手状案内穴部２３１ｂに沿って図示右方向に摺動し、このローラー２３３ｃ、２３３ｄに連結された左側可動装飾部材本体２２１ｂ及び装飾片２２２ｃ、２２２ｄが図示右方向に移動する。
【０１０５】
本第１実施形態においては、上述のように、ピニオン２４１と平歯車２４２とは同一の小径平歯車で構成され、平歯車２４３と平歯車２４４とは同一の大径平歯車で構成されている。また、図４において、ピニオン２４１が反時計回りに回転すると、図示右端の平歯車２４４は、時計回りに回転する。一方、図示左端の平歯車２４３は、時計回りに回転する平歯車２４２を介して反時計回りに回転する。よって、平歯車２４３と平歯車２４４とが、同一速度で逆回りに回転する。
【０１０６】
ここで、左右両側ラック２５０ａ、２５０ｂは、各基端部２５１ａ、２５１ｂを互に対向するようにして、それぞれ、長手方向を同軸上にして配設されている（図４参照）。しかして、左右両側ラック２５０ａ、２５０ｂの各基端部２５１ａ、２５１ｂは、平歯車２４３と平歯車２４４との逆回りの往復回転に伴って、接近したり離れたりしながら往復作動を繰り返す。
【０１０７】
なお、本第１実施形態では、左側ラック２５０ａ及び左側長手状連結部材２７０ａが、ともに左側噛合機構ＧＳ１に含まれる構成となっているが、これに代えて、左側ラック２５０ａ及び左側長手状連結部材２７０ａが、左側可動装飾部材２２０ａとともに、左側可動装飾手段を構成するように把握してもよい。また、本実施形態では、右側ラック２５０ｂ及び右側長手状連結部材２７０ｂが、ともに右側噛合機構ＧＳ２に含まれる構成となっているが、これに代えて、右側ラック２５０ｂ及び右側長手状連結部材２７０ｂが、右側可動装飾部材２２０ｂとともに、右側可動装飾手段を構成するように把握してもよい。
【０１０８】
ステップモータ２８０は、図３にて示すごとく、モータ本体２８１にて、支持壁２１０ａの左側中央部位にその前面側から組み付けられている。ここで、当該ステップモータ２８０は、その回転軸２８２にて、支持壁２１０ａ左側中央部位に形成した開口部（図示しない）に回転自在に同軸的に挿通されて、ピニオン２４１を同軸的に支持している。
【０１０９】
また、本第１実施形態に係るパチンコ遊技機は、図９にて示す電子制御回路を有しており、当該電子制御回路は、主制御回路３００と、副制御回路３１０と、可動演出制御回路３２０と、ステップモータ駆動回路３３０と、発光ダイオード駆動回路３４０とを備えている。
【０１１０】
ここで、ステップモータ２８０の反転作動制御について説明する。本第１実施形態に係るパチンコ遊技機は、図９にて示すごとく、可動演出制御回路３２０を備えており、可動演出制御回路３２０は、ステップモータ２８０を駆動するステップモータ駆動回路３３０、延出端部側位置センサＳ１及び基端部側位置センサＳ２を具備している。
【０１１１】
延出端部側位置センサＳ１及び基端部側位置センサＳ２は、共に、フォトインタプラタでもって構成されている。延出端部側位置センサＳ１は、その発光部及びこの発光部からの光を受光する受光部にて、左側アーム状案内部材２３０ａに設けられた長手状案内穴部２３１ａの延出端部側終端部２３４ａを介し対向する部位に設けられている。
【０１１２】
これにより、長手状案内穴部２３１ａの内部に沿い摺動する２つのローラー２３３ａ、２３３ｂのうちローラー２３３ｂが、延出端部側終端部２３４ａに位置するとき（図３参照）、延出端部側位置センサＳ１の発光部から受光部に入射する光を遮断する。即ち、延出端部側位置センサＳ１は、ローラー２３３ｂの延出端部側終端部２３４ａへの到達に基づき、左側可動装飾部材本体２２１ａが支持壁２１０ａの中央側に到達したことを検出する。
【０１１３】
換言すれば、左側可動装飾部材本体２２１ａが支持壁２１０ａの中央側に到達したとき、左側可動装飾部材本体２２１ａと対称的に連動作動する右側可動装飾部材本体２２１ｂも支持壁２１０ａの中央側へ到達しており、このことにより、延出端部側位置センサＳ１は、可動装飾部材２２０ａ、２２０ｂが閉じた状態（図３参照）であることを検出する。
【０１１４】
一方、基端部側位置センサＳ２は、その発光部及びこの発光部からの光を受光する受光部にて、左側アーム状案内部材２３０ａに設けられた長手状案内穴部２３１ａの基端部側終端部２３５ａを介し対向する部位に設けられている。
【０１１５】
これにより、長手状案内穴部２３１ａの内部に沿い摺動する２つのローラー２３３ａ、２３３ｂのうちローラー２３３ａが、基端部側終端部２３５ａに位置するとき（図７参照）、基端部側位置センサＳ２の発光部から受光部に入射する光を遮断する。即ち、基端部側位置センサＳ２は、ローラー２３３ａの基端部側終端部２３５ａへの到達に基づき、左側可動装飾部材本体２２１ａが支持壁２１０ａの左外縁側に到達したことを検出する。
【０１１６】
換言すれば、左側可動装飾部材本体２２１ａが支持壁２１０ａの左外縁側に到達したとき、左側可動装飾部材本体２２１ａと対称的に連動作動する右側可動装飾部材本体２２１ｂも支持壁２１０ａの右外縁側へ到達しており、このことにより、基端部側位置センサＳ２は、可動装飾部材２２０ａ、２２０ｂが開いた状態（図７参照）であることを検出する。
【０１１７】
また、当該可動演出装置２００は、コイルスプリング２６０を備えている。このコイルスプリング２６０は、図４にて示すごとく、左右両側ラック２５０ａ、２５０ｂの各基端部２５１ａ、２５１ｂの間に挟持されており、本第１実施形態においては、このコイルスプリング２６０は、後述のごとく、圧縮ばねとして作用するものである。
【０１１８】
ここで、コイルスプリング２６０に外力を作用させないときのコイルスプリング２６０の長さ（自然長）をＮとする。一方、左右両側ラック２５０ａ、２５０ｂが離れたり接近したりしながら往復作動を繰り返しているとき、各基端部２５１ａ、２５１ｂの間の距離Ｌは、一定の働き幅で次のように変化する。即ち、各基端部２５１ａ、２５１ｂが最も離れた状態にあるとき（図４参照）の距離を最大ストローク間隔Ｌ１とし、各基端部２５１ａ、２５１ｂが最も接近した状態（図８参照）にあるときの距離を最小ストローク間隔Ｌ２とする。
【０１１９】
ここで、本第１実施形態においては、コイルスプリング２６０の自然長Ｎは、各基端部２５１ａ、２５１ｂの間の最大ストローク間隔Ｌ１より長く設定されている。しかして、コイルスプリング２６０は、往復作動する左右両側ラック２５０ａ、２５０ｂの各基端部２５１ａ、２５１ｂの間に挟持されて、常に圧縮された状態にあり、このコイルスプリング２６０は、常に各基端部２５１ａ、２５１ｂの間隔を押し広げようと作用する。このことは、コイルスプリング２６０が圧縮ばねとして、各基端部２５１ａ、２５１ｂの間隔を押し広げるように作用することを意味する。
【０１２０】
以上のように構成した本第１実施形態において、可動装飾部材２２０ａ、２２０ｂは、図３及び図４に示すごとく、閉じた状態にあり、左右両側可動装飾部材本体２２１ａ、２２１ｂは、最も接近した位置にある（図３参照）。このとき、左右両側ラック２５０ａ、２５０ｂの各基端部２５１ａ、２５１ｂは、最も離れた位置にあり、これらの間の距離Ｌは、最大ストロークＬ１の状態にある（図４参照）。
【０１２１】
このとき、ローラー２３３ｂは、長手状案内穴部２３１ａの延出端部側終端部２３４ａに位置しており（図３参照）、延出端部側位置センサＳ１は、上述のように、可動装飾部材２２０ａ、２２０ｂが閉じた状態にあることを検出している。
【０１２２】
ここで、可動装飾部材２２０ａ、２２０ｂが閉じた状態におけるコイルスプリング２６０の作用を説明する。ステップモータ２８０からの駆動を左側可動装飾部材本体２２１ａに伝達する左側噛合機構ＧＳ１においては、ピニオン２４１と平歯車２４４との間、平歯車２４４と第１歯部２５３ａとの間及び第２歯部２５４ａとセクター歯車部２７４ａとの間にそれぞれバックラッシュを含め機械的組み付け誤差等に起因して発生するガタが存在する。
【０１２３】
ここで、可動装飾部材２２０ａ、２２０ｂが閉じた状態においては、これに連動して往復作動する左右両側ラック２５０ａ、２５０ｂの各基端部２５１ａ、２５１ｂの間隔は、最大ストローク間隔Ｌ１であり（図４参照）、コイルスプリング２６０の自然長Ｎより短い。よって、この状態において、コイルスプリング２６０は、圧縮された状態にあり、各基端部２５１ａ、２５１ｂの間隔を押し広げるように作用する。このことにより、左側ラック２５０ａが常に支持壁２１０ａの左外縁側（図４において右側）に押し寄せられており、上述のガタが吸収される。
【０１２４】
一方、ステップモータ２８０の駆動を右側可動装飾部材本体２２１ｂに伝達する右側噛合機構ＧＳ２においては、ピニオン２４１と平歯車２４２との間、平歯車２４２と平歯車２４３との間、平歯車２４３と第１歯部２５３ｂとの間及び第２歯部２５４ｂと第３歯部２７４ｂとの間にそれぞれバックラッシュを含め機械的組み付け誤差等に起因して発生するガタが存在する。
【０１２５】
そこで、コイルスプリング２６０は、上述のように、圧縮された状態にあり、左右両側ラック２５０ａ、２５０ｂの各基端部２５１ａ、２５１ｂの間隔を押し広げるように作用する。このことにより、右側ラック２５０ｂが常に支持壁２１０ａの右外縁側（図４において左側）に押し寄せられており、上述のガタが吸収される。
【０１２６】
このように、可動装飾部材２２０ａ、２２０ｂが閉じた状態において（図３参照）、左右両側ラック２５０ａ、２５０ｂの各基端部２５１ａ、２５１ｂは、コイルスプリング２６０の作用により、その間隔を押し広げられており（図４参照）、これに対応して、左右両側可動装飾部材本体２２１ａ、２２１ｂは、左右両側ラック２５０ａ、２５０ｂと左右両側長手状連結部材２７０ａ、２７０ｂとの作用により、互に接近する方向に引き寄せられている。
【０１２７】
このとき、可動装飾部材２２０ａ、２２０ｂが開いた状態から閉じた状態に移行して、この閉じた状態で停止或いは反転して再度開いた状態に移行するにあたり、この停止或いは反転の際に、可動装飾部材２２０ａ、２２０ｂは、一様な移動動作及び停止動作を発揮することができる。
【０１２８】
このような状態において、主制御回路３００による遊技状態の制御中にリーチ状態になると、副制御回路３１０を介して、リーチ演出プログラムの開始信号が可動演出制御回路３２０に出力される。このことにより、可動演出制御回路３２０がリーチ演出プログラムの実行を開始すると、図９にて示すごとく、ステップモータ駆動回路３３０を介してステップモータ２８０が駆動する。一方、これに対応して発光ダイオード駆動回路３４０を介して装飾片２２２ａ〜２２２ｄが具備する発光ダイオード群ＬＥＤ１〜ＬＥＤ４がリーチ演出プログラムに合わせて駆動する。
【０１２９】
左側噛合機構ＧＳ１においては、図４において、ステップモータ２８０が反時計方向に回転すると、ピニオン２４１がステップモータ２８０と同一方向（反時計方向）に回転する。これに伴い、平歯車２４４が、ピニオン２４１との噛合のもとに、このピニオン２４１とは逆回り（時計回り）に回転する。
【０１３０】
これに伴い、左側ラック２５０ａが具備する第１歯部２５３ａが、平歯車２４４との噛合のもと、支持壁２１０ａの中央側（図４において左側）に移動することによって、当該左側ラック２５０ａが支持壁２１０ａの中央側（図４において左側）に移動する。
【０１３１】
このことにより、支持壁２１０ａの中央側（図３において右側）に移動する左側ラック２５０ａが具備する第２歯部２５４ａに噛合する左側長手状連結部材２７０ａのセクター歯車部２７４ａが、支持壁２１０ａの中央側（図３において右側）に移動する。この左側長手状連結部材２７０ａは、支軸２７３ａを中心に回転し（図５参照）、このことにより、左側長手状連結部材２７０ａの他方端部２７２ａが支持壁２１０ａの左外縁側（図３において左側）に移動する。
【０１３２】
この左側長手状連結部材２７０ａの他方端部２７２ａが、図３において、支持壁２１０ａの左外縁側に移動することに伴って、当該他方端部２７２ａの近傍部位に開口する連結穴部２７５ａに連結されたローラー２３３ａとこれに伴うローラー２３３ｂとが長手状案内穴部２３１ａに沿って、左側アーム状案内部材２３０ａの基端部方向（図示左方向）に摺動し、このローラー２３３ａ、２３３ｂに連結された左側可動装飾部材本体２２１ａ及び装飾片２２２ａ、２２２ｂが図示左方向に移動する。
【０１３３】
一方、右側噛合機構ＧＳ２においては、図４において、ステップモータ２８０が反時計方向に回転し、ピニオン２４１がステップモータ２８０と同一方向（反時計方向）に回転すると、これに伴い、平歯車２４２が、ピニオン２４１との噛合のもとに、このピニオン２４１とは逆回り（時計回り）に回転する。これに伴い、平歯車２４３が、平歯車２４２との噛合のもと、この平歯車２４２とは逆回り（反時計回り）に回転する。
【０１３４】
これに伴い、右側ラック２５０ｂが具備する第１歯部２５３ｂが、平歯車２４３との噛合のもとに、支持壁２１０ａの中央側（図４において右側）に移動することにより、当該右側ラック２５０ｂが支持壁２１０ａの中央側（図４において右側）に移動する。
【０１３５】
このことにより、支持壁２１０ａの中央側（図３において左側）に移動する右側ラック２５０ｂが具備する第２歯部２５４ｂに噛合する右側長手状連結部材２７０ｂの第３歯部２７４ｂが、支持壁２１０ａの中央側（図３において左側）に移動する。この右側長手状連結部材２７０ｂは、支軸２７３ｂを中心に回転し（図６参照）、このことにより、右側長手状連結部材２７０ｂの他方端部２７２ｂが支持壁２１０ａの右外縁側（図３において右側）に移動する。
【０１３６】
この右側長手状連結部材２７０ｂの他方端部２７２ａが、図３において、支持壁２１０ａの右外縁側に移動することに伴って、当該他方端部２７２ｂの近傍部位に開口する連結穴部２７５ｂに連結されたローラー２３３ｃとこれに伴うローラー２３３ｄとが長手状案内穴部２３１ｂに沿って、右側アーム状案内部材２３０ｂの基端部方向（図示右方向）に摺動し、このローラー２３３ｃ、２３３ｄに連結された右側可動装飾部材本体２２１ｂ及び装飾片２２２ｃ、２２２ｄが図示右方向に移動する。
【０１３７】
この状態においては、可動装飾部材２２０ａ、２２０ｂが閉じた状態から開いた状態に移行する段階にある。この可動装飾部材２２０ａ、２２０ｂの移行状態におけるコイルスプリング２６０の作用を説明する。可動装飾部材２２０ａ、２２０ｂが閉じた状態から開いた状態に移行する段階においては、左右両側ラック２５０ａ、２５０ｂの各基端部２５１ａ、２５１ｂの間隔は、最大ストローク間隔Ｌ１（図４参照）と最小ストローク間隔Ｌ２（図８参照）との中間にある。
【０１３８】
この状態においても、コイルスプリング２６０の長さは、その自然長Ｎより短い。よって、コイルスプリング２６０は、圧縮された状態にあり、各基端部２５１ａ、２５１ｂの間隔を押し広げるように作用する。このように、上記移行状態においても、左側ラック２５０ａは、常に支持壁２１０ａの左外縁側（図４において右側）に押し寄せられており、上述のガタが吸収されている。
【０１３９】
一方、右側ラック２５０ｂに対しても、コイルスプリング２６０は、上述のように、圧縮された状態にあり、右側ラック２５０ｂが常に支持壁２１０ａの右外縁側（図４において左側）に押し寄せられており、上述のガタが吸収されている。
【０１４０】
次に、ローラー２３３ａ、２３３ｂが長手状案内穴部２３１ａに沿って基端部側に移動し、ローラー２３３ａが長手状案内穴部２３１ａの基端部側終端部２３５ａに到達すると、基端部側位置センサＳ２は、ローラー２３３ａの基端部側終端部２３５ａへの到達に基づき、左側可動装飾部材本体２２１ａが支持壁２１０ａの左外縁側に到達したことを検出する。このことにより、可動演出制御回路３２０は、制御プログラムに従って、左右両側可動装飾部材２２０ａ、２２０ｂの停止または反転を制御する。
【０１４１】
これと同時に、ローラー２３３ｃ、２３３ｄが長手状案内穴部２３１ｂに沿って基端部側に移動し、ローラー２３３ｃが長手状案内穴部２３１ｂの基端部側終端部２３５ｂに到達する。このとき、対称位置にある左側アーム状案内部材２３０ａの長手状案内穴部２３１ａの基端部側終端部２３５ａに設けられた基端部側位置センサＳ２がローラー２３３ａの基端部側終端部２３５ａへの到達を検知しており、上述のように、可動演出制御回路３２０は、制御プログラムに従って、左右両側可動装飾部材２２０ａ、２２０ｂの停止または反転を制御する。このとき、可動装飾部材２２０ａ、２２０ｂは、開いた状態（図７参照）になっている。
【０１４２】
ここで、可動装飾部材２２０ａ、２２０ｂが開いた状態におけるコイルスプリング２６０の作用を説明する。可動装飾部材２２０ａ、２２０ｂが開いた状態においては、図８にて示すごとく、左右両側ラック２５０ａ、２５０ｂの各基端部２５１ａ、２５１ｂの間隔は、最小ストローク間隔Ｌ２であり、コイルスプリング２６０の自然長Ｎより短い。よって、コイルスプリング２６０は、圧縮された状態にあり、各基端部２５１ａ、２５１ｂの間隔を押し広げるように作用する。このことにより、左側ラック２５０ａが常に支持壁２１０ａの左外縁側（図８において右側）に押し寄せられており、上述のガタが吸収されている。
【０１４３】
一方、右側ラック２５０ｂに対しても、コイルスプリング２６０は、上述のように、圧縮された状態にあり、右側ラック２５０ｂが常に支持壁２１０ａの右外縁側（図８において左側）に押し寄せられており、上述のガタが吸収されている。
【０１４４】
このように、可動装飾部材２２０ａ、２２０ｂが開いた状態において（図７参照）、左右両側ラック２５０ａ、２５０ｂの各基端部２５１ａ、２５１ｂは、コイルスプリング２６０の作用により、その間隔を押し広げられており（図８参照）、これに対応して、左右両側可動装飾部材本体２２１ａ、２２１ｂは、左右両側ラック２５０ａ、２５０ｂと左右両側長手状連結部材２７０ａ、２７０ｂとの作用により、互に接近する方向に引き寄せられている。
【０１４５】
このとき、可動装飾部材２２０ａ、２２０ｂが閉じた状態から開いた状態に移行して、この開いた状態で停止或いは反転して再度閉じた状態に移行するにあたり、この停止或いは反転の際に、左右両側可動装飾部材本体２２１ａ、２２１ｂは、互に引き寄せられており、可動装飾部材２２０ａ、２２０ｂは、一様な移動動作及び停止動作を発揮することができる。
【０１４６】
以上のように、可動演出装置２００は、ステップモータ２８０による駆動のもとに左右両側噛合機構ＧＳ１、ＧＳ２を介して、左右両側可動装飾部材２２０ａ、２２０ｂを閉じた状態と開いた状態との間で移動させて演出作動を繰り返す。
【０１４７】
以上説明したように、左右両側噛合機構ＧＳ１、ＧＳ２には、複数個所にそれぞれバックラッシュを含め機械的組み付け誤差等に起因して発生するガタが存在する。
【０１４８】
そこで、本第１実施形態においては、上述のように、左右両側噛合機構ＧＳ１、ＧＳ２の具備する左右両側ラック２５０ａ、２５０ｂの各基端部２５１ａ、２５１ｂの間にコイルスプリング２６０が挟持されており、このコイルスプリング２６０は、圧縮ばねとして作用している。即ち、コイルスプリング２６０の自然長Ｎは、各基端部２５１ａ、２５１ｂの間の最大ストローク間隔Ｌ１より長いものである。
【０１４９】
しかして、左右両側可動装飾部材２２０ａ、２２０ｂが閉じた状態と開いた状態との間で移動を繰り返す間に、常にコイルスプリング２６０が左右両側ラック２５０ａ、２５０ｂの間隔を押し広げるように作用する。即ち、左右両側ラック２５０ａ、２５０ｂは、それぞれ、その往復作動の間、常に支持壁２１０ａの左右両側外縁部の方向に力を受けながら移動する。
【０１５０】
その結果、左右両側噛合機構ＧＳ１、ＧＳ２に存在するガタは吸収され、可動装飾部材２２０ａ、２２０ｂは、開閉作動を繰り返す間に一様な移動動作及び停止動作を発揮することができることから、遊技者にとり、可動演出装置２００による演出に対する見映えが良好に確保され得る。
（第２実施形態）
次に、本発明の第２実施形態について説明する。本第２実施形態においては、コイルスプリング２６０は、上記第１実施形態の圧縮ばねとして作用するものに代えて、後述のごとく伸長ばねとして作用するものを採用する。本第２実施形態の可動演出装置２００のその他の構成は、上記第１実施形態と同様である（図３及び図４参照）。
【０１５１】
ここで、上記第１実施形態と同様に、コイルスプリング２６０に外力を作用させないときのコイルスプリング２６０の長さ（自然長）をＮとし、左右両側ラック２５０ａ、２５０ｂの各基端部２５１ａ、２５１ｂが最も離れた状態にあるとき（図４参照）の距離を最大ストローク間隔Ｌ１とし、各基端部２５１ａ、２５１ｂが最も接近した状態（図８参照）にあるときの距離を最小ストローク間隔Ｌ２とする。
【０１５２】
ここで、本第２実施形態に係るコイルスプリング２６０は、図４に示すごとく、左右両側ラック２５０ａ、２５０ｂの各基端部２５１ａ、２５１ｂの間の全長に亘って挟持されており、本第１実施形態においては、このコイルスプリング２６０は、後述のごとく、伸長ばねとして作用するものである。
【０１５３】
ここで、本第２実施形態においては、コイルスプリング２６０の自然長Ｎは、各基端部２５１ａ、２５１ｂの間の最小ストローク間隔Ｌ１より常に短く設定されている。しかして、コイルスプリング２６０は、往復作動する各基端部２５１ａ、２５１ｂの間に挟持されている場合には、常に伸長された状態にあり、このコイルスプリング２６０は、常に各基端部２５１ａ、２５１ｂの間隔を引き戻そうと作用する。このことは、コイルスプリング２６０が伸長ばねとして、各基端部２５１ａ、２５１ｂの間隔を引き戻すように作用することを意味する。
【０１５４】
以上のように構成した本第２実施形態において、可動演出装置２００の作動、並びに、コイルスプリング２６０の作用について説明する。現段階において、可動装飾部材２２０ａ、２２０ｂは、図３及び図４に示すごとく、閉じた状態にあり、左右両側可動装飾部材本体２２１ａ、２２１ｂは、最も接近した位置にある（図３参照）。このとき、左右両側噛合機構ＧＳ１、ＧＳ２が具備する左右両側ラック２５０ａ、２５０ｂの各基端部２５１ａ、２５１ｂは、最も離れた位置にあり、これらの間の距離Ｌは、最大ストロークＬ１の状態にある（図４参照）。
【０１５５】
このとき、ローラー２３３ｂは、長手状案内穴部２３１ａの延出端部側終端部２３４ａに位置しており（図３参照）、延出端部側位置センサＳ１は、上述のように、可動装飾部材２２０ａ、２２０ｂが閉じた状態にあることを検出している。
【０１５６】
ここで、可動装飾部材２２０ａ、２２０ｂが閉じた状態におけるコイルスプリング２６０の作用を説明する。ステップモータ２８０からの駆動を左側可動装飾部材本体２２１ａに伝達する左側噛合機構ＧＳ１においては、上記第１実施形態で説明したように、バックラッシュを含め機械的組み付け誤差等に起因して発生するガタが存在する。
【０１５７】
本第２実施形態では、可動装飾部材２２０ａ、２２０ｂが閉じた状態において、これに連動して往復作動する左右両側ラック２５０ａ、２５０ｂの各基端部２５１ａ、２５１ｂの間隔は、最大ストローク間隔Ｌ１であり（図４参照）、コイルスプリング２６０の自然長Ｎより長い。よって、この状態において、コイルスプリング２６０は、伸長された状態にあり、各基端部２５１ａ、２５１ｂの間隔を引き戻すように作用する。このことにより、左側ラック２５０ａが常に支持壁２１０ａの中央側（図４において左側）に引き戻されており、上述のガタが吸収されている。
【０１５８】
一方、ステップモータ２８０の駆動を右側可動装飾部材本体２２１ｂに伝達する右側噛合機構ＧＳ２においても、上記第１実施形態で説明したように、バックラッシュを含め機械的組み付け誤差等に起因して発生するガタが存在する。
【０１５９】
そこで、コイルスプリング２６０は、上述のように、伸長された状態にあり、左右両側ラック２５０ａ、２５０ｂの各基端部２５１ａ、２５１ｂの間隔を引き戻すように作用する。このことにより、右側ラック２５０ｂが常に支持壁２１０ａの中央側（図４において右側）に引き戻されており、上述のガタが吸収される。
【０１６０】
このように、可動装飾部材２２０ａ、２２０ｂが閉じた状態において（図３参照）、左右両側ラック２５０ａ、２５０ｂの各基端部２５１ａ、２５１ｂは、コイルスプリング２６０の作用により、その間隔を引き戻されており（図４参照）、これに対応して、左右両側可動装飾部材本体２２１ａ、２２１ｂは、左右両側ラック２５０ａ、２５０ｂと左右両側長手状連結部材２７０ａ、２７０ｂとの作用により、互に離れる方向に押し広げられている。
【０１６１】
このとき、可動装飾部材２２０ａ、２２０ｂが開いた状態から閉じた状態に移行して、この閉じた状態で停止或いは反転して再度開いた状態に移行するにあたり、この停止或いは反転の際に、左右両側可動装飾部材本体２２１ａ、２２１ｂは、一様な移動動作及び停止動作を発揮することができる。
【０１６２】
このような状態において、主制御回路３００による遊技状態の制御中にリーチ状態になると、副制御回路３１０を介して、リーチ演出プログラムの開始信号が可動演出制御回路３２０に出力される。このことにより、可動演出制御回路３２０がリーチ演出プログラムの実行を開始すると、図９にて示すごとく、ステップモータ駆動回路３３０を介してステップモータ２８０が駆動する。一方、これに対応して発光ダイオード駆動回路３４０を介して装飾片２２２ａ〜２２２ｄが具備する発光ダイオード群ＬＥＤ１〜ＬＥＤ４がリーチ演出プログラムに合わせて駆動する。
【０１６３】
左側噛合機構ＧＳ１においては、図４において、ステップモータ２８０が反時計方向に回転すると、ピニオン２４１がステップモータ２８０と同一方向（反時計方向）に回転する。これに伴い、平歯車２４４が、ピニオン２４１との噛合のもとに、このピニオン２４１とは逆回り（時計回り）に回転する。
【０１６４】
これに伴い、左側ラック２５０ａが具備する第１歯部２５３ａが、平歯車２４４との噛合のもと、支持壁２１０ａの中央側（図４において左側）に移動することによって、当該左側ラック２５０ａが支持壁２１０ａの中央側（図４において左側）に移動する。
【０１６５】
このことにより、支持壁２１０ａの中央側（図３において右側）に移動する左側ラック２５０ａが具備する第２歯部２５４ａに噛合する左側長手状連結部材２７０ａのセクター歯車部２７４ａが、支持壁２１０ａの中央側（図３において右側）に移動する。この左側長手状連結部材２７０ａは、支軸２７３ａを中心に回転し（図５参照）、このことにより、左側長手状連結部材２７０ａの他方端部２７２ａが支持壁２１０ａの左外縁側（図３において左側）に移動する。
【０１６６】
この左側長手状連結部材２７０ａの他方端部２７２ａが、図３において、支持壁２１０ａの左外縁側に移動することに伴って、当該他方端部２７２ａの近傍部位に開口する連結穴部２７５ａに連結されたローラー２３３ａとこれに伴うローラー２３３ｂとが長手状案内穴部２３１ａに沿って、左側アーム状案内部材２３０ａの基端部方向（図示左方向）に摺動し、このローラー２３３ａ、２３３ｂに連結された左側可動装飾部材本体２２１ａ及び装飾片２２２ａ、２２２ｂが図示左方向に移動する。
【０１６７】
一方、右側噛合機構ＧＳ２においては、図４において、ステップモータ２８０が反時計方向に回転し、ピニオン２４１がステップモータ２８０と同一方向（反時計方向）に回転すると、これに伴い、平歯車２４２が、ピニオン２４１との噛合のもとに、このピニオン２４１とは逆回り（時計回り）に回転する。これに伴い、平歯車２４３が、平歯車２４２との噛合のもと、この平歯車２４２とは逆回り（反時計回り）に回転する。
【０１６８】
これに伴い、右側ラック２５０ｂが具備する第１歯部２５３ｂが、平歯車２４３との噛合のもとに、支持壁２１０ａの中央側（図４において右側）に移動することにより、当該右側ラック２５０ｂが支持壁２１０ａの中央側（図４において右側）に移動する。
【０１６９】
このことにより、支持壁２１０ａの中央側（図３において左側）に移動する右側ラック２５０ｂが具備する第２歯部２５４ｂに噛合する右側長手状連結部材２７０ｂの第３歯部２７４ｂが、支持壁２１０ａの中央側（図３において左側）に移動する。この右側長手状連結部材２７０ｂは、支軸２７３ｂを中心に回転し（図６参照）、このことにより、右側長手状連結部材２７０ｂの他方端部２７２ｂが支持壁２１０ａの右外縁側（図３において右側）に移動する。
【０１７０】
この右側長手状連結部材２７０ｂの他方端部２７２ａが、図３において、支持壁２１０ａの右外縁側に移動することに伴って、当該他方端部２７２ｂの近傍部位に開口する連結穴部２７５ｂに連結されたローラー２３３ｃとこれに伴うローラー２３３ｄとが長手状案内穴部２３１ｂに沿って、右側アーム状案内部材２３０ｂの基端部方向（図示右方向）に摺動し、このローラー２３３ｃ、２３３ｄに連結された右側可動装飾部材本体２２１ｂ及び装飾片２２２ｃ、２２２ｄが図示右方向に移動する。
【０１７１】
この状態においては、可動装飾部材２２０ａ、２２０ｂが閉じた状態から開いた状態に移行する段階にある。この可動装飾部材２２０ａ、２２０ｂの移行状態におけるコイルスプリング２６０の作用を説明する。可動装飾部材２２０ａ、２２０ｂが閉じた状態から開いた状態に移行する段階においては、左右両側ラック２５０ａ、２５０ｂの各基端部２５１ａ、２５１ｂの間隔は、最大ストローク間隔Ｌ１（図４参照）と最小ストローク間隔Ｌ２（図８参照）との中間にある。
【０１７２】
この状態においても、コイルスプリング２６０の長さは、その自然長Ｎより長い。よって、コイルスプリング２６０は、伸長された状態にあり、各基端部２５１ａ、２５１ｂの間隔を引き戻すように作用する。このように、上記移行状態においても、左側ラック２５０ａは、常に支持壁２１０ａの中央側（図４において左側）に引き戻されており、上述のガタが吸収されている。
【０１７３】
一方、右側ラック２５０ｂに対しても、コイルスプリング２６０は、上述のように、伸長された状態にあり、右側ラック２５０ｂが常に支持壁２１０ａの中央側（図４において右側）に引き戻されており、上述のガタが吸収されている。
【０１７４】
次に、ローラー２３３ａ、２３３ｂが長手状案内穴部２３１ａに沿って基端部側に移動し、ローラー２３３ａが長手状案内穴部２３１ａの基端部側終端部２３５ａに到達すると、基端部側位置センサＳ２は、ローラー２３３ａの基端部側終端部２３５ａへの到達に基づき、左側可動装飾部材本体２２１ａが支持壁２１０ａの左外縁側に到達したことを検出する。このことにより、可動演出制御回路３２０は、制御プログラムに従って、左右両側可動装飾部材２２０ａ、２２０ｂの停止または反転を制御する。
【０１７５】
これと同時に、ローラー２３３ｃ、２３３ｄが長手状案内穴部２３１ｂに沿って基端部側に移動し、ローラー２３３ｃが長手状案内穴部２３１ｂの基端部側終端部２３５ｂに到達する。このとき、対称位置にある左側アーム状案内部材２３０ａの長手状案内穴部２３１ａの基端部側終端部２３５ａに設けられた基端部側位置センサＳ２がローラー２３３ａの基端部側終端部２３５ａへの到達を検知しており、上述のように、可動演出制御回路３２０は、制御プログラムに従って、左右両側可動装飾部材２２０ａ、２２０ｂの停止または反転を制御する。このとき、可動装飾部材２２０ａ、２２０ｂは、開いた状態（図７参照）になっている。
【０１７６】
ここで、可動装飾部材２２０ａ、２２０ｂが開いた状態におけるコイルスプリング２６０の作用を説明する。可動装飾部材２２０ａ、２２０ｂが開いた状態においては、図８にて示すごとく、左右両側ラック２５０ａ、２５０ｂの各基端部２５１ａ、２５１ｂの間隔は、最小ストローク間隔Ｌ２であり、コイルスプリング２６０の自然長Ｎより長い。よって、コイルスプリング２６０は、伸長された状態にあり、各基端部２５１ａ、２５１ｂの間隔を引き戻すように作用する。このことにより、左側ラック２５０ａが常に支持壁２１０ａの中央側（図８において左側）に押し寄せられており、上述のガタが吸収されている。
【０１７７】
一方、右側ラック２５０ｂに対しても、コイルスプリング２６０は、上述のように、伸長された状態にあり、右側ラック２５０ｂが常に支持壁２１０ａの中央側（図８において右側）に引き戻されており、上述のガタが吸収されている。
【０１７８】
このように、可動装飾部材２２０ａ、２２０ｂが開いた状態において（図７参照）、左右両側ラック２５０ａ、２５０ｂの各基端部２５１ａ、２５１ｂは、コイルスプリング２６０の作用により、その間隔を引き戻されており（図８参照）、これに対応して、左右両側可動装飾部材本体２２１ａ、２２１ｂは、左右両側ラック２５０ａ、２５０ｂと左右両側長手状連結部材２７０ａ、２７０ｂとの作用により、互に離れる方向に押し広げられている。
【０１７９】
このとき、可動装飾部材２２０ａ、２２０ｂが閉じた状態から開いた状態に移行して、この開いた状態で停止或いは反転して再度閉じた状態に移行するにあたり、この停止或いは反転の際に、左右両側可動装飾部材本体２２１ａ、２２１ｂは、一様な移動動作及び停止動作を発揮することができる。
【０１８０】
以上のように、本第２実施形態においても、可動演出装置２００は、ステップモータ２８０による駆動のもとに左右両側噛合機構ＧＳ１、ＧＳ２を介して、左右両側可動装飾部材２２０ａ、２２０ｂを閉じた状態と開いた状態との間で移動させて演出作動を繰り返す。
【０１８１】
以上説明したように、左右両側噛合機構ＧＳ１、ＧＳ２には、複数個所にそれぞれバックラッシュを含め機械的組み付け誤差等に起因して発生するガタが存在する。
【０１８２】
そこで、本第２実施形態においては、上述のように、左右両側噛合機構ＧＳ１、ＧＳ２の具備する左右両側ラック２５０ａ、２５０ｂの各基端部２５１ａ、２５１ｂの間にコイルスプリング２６０が挟持されており、このコイルスプリング２６０は、伸長ばねとして作用している。即ち、コイルスプリング２６０の自然長Ｎは、各基端部２５１ａ、２５１ｂの間の最小ストローク間隔Ｌ２より短いものである。
【０１８３】
しかして、左右両側可動装飾部材２２０ａ、２２０ｂが閉じた状態と開いた状態との間で移動を繰り返す間に、常にコイルスプリング２６０が左右両側ラック２５０ａ、２５０ｂの間隔を引き戻すように作用する。即ち、左右両側ラック２５０ａ、２５０ｂは、それぞれ、その往復作動の間、常に支持壁２１０ａの中央部の方向に力を受けながら移動する。
【０１８４】
その結果、左右両側噛合機構ＧＳ１、ＧＳ２に存在するガタは吸収され、可動装飾部材２２０ａ、２２０ｂは、開閉作動を繰り返す間に一様な移動動作及び停止動作を発揮することができることから、遊技者にとり、可動演出装置２００による演出に対する見映えが良好に確保され得る。
【０１８５】
なお、本発明の実施にあたり、上記実施形態に限ることなく、次のような種々の変形例が挙げられる。
（１）上記各実施形態においては、左右両側ラックが互いに近づく方向への移動に伴い、左右両側可動装飾部材を互いに離れる方向に移動させ、左右両側ラックが互いに離れる方向への移動に伴い、左右両側可動装飾部材を互いに近づく方向へ移動させるものであるが、これとは異なり、左右両側ラックが互いに近づく方向への移動に伴い、左右両側可動装飾部材を互いに近づく方向に移動させ、左右両側ラックが互いに離れる方向への移動に伴い、左右両側可動装飾部材を互いに離れる方向へ移動させるようにしてもよい。
（２）上記実施形態において採用する左右両側ラックに代えて、左右両側送りねじを採用するようにしてもよい。
（３）上記各実施形態において採用する左右両側アーム状案内部材は、上記実施形態にて述べた構成に限ることなく、左右両側可動装飾部材を左右両側長手状連結部材に左右方向に移動可能に連結し得る構成であれば、どのような構成であってもよい。
（４）上記各実施形態においては、可動演出装置は、遊技盤の中央開口部の外周部に沿い設けられてなる環状センター構造物の上縁下端部の幅方向全体に亘って設けられるものであるが、これに限ることなく、センター構造物のいずれの位置に設けられるものであってもよい。
（５）上記各実施形態においては、噛合機構として、ピニオン及び平歯車を採用したが、これに限ることなく、各種歯車、例えば、ウォームギヤ、傘歯車、冠歯車などとの組み合わせを採用するものであってもよい。
（６）上記実施形態においては、ステップモータを採用するが、これに代えて直流モータなどの他の回転電動機を採用するものであってもよい。
【符号の説明】
【０１８６】
ＧＳ１、ＧＳ２…噛合機構、Ｓ１、Ｓ２…位置センサ、Ｌ１…最大ストローク間隔、
Ｌ２…最小ストローク間隔、Ｎ…自然長、ＬＥＤ１〜ＬＥＤ４…発光ダイオード、
１０…遊技盤、３０…センター構造物、５１…液晶パネル、２００…可動演出装置、
２１０…基体、２１０ａ…支持壁、２２０ａ、２２０ｂ…可動装飾部材、
２２１ａ、２２１ｂ…装飾部材本体、２２２ａ〜２２２ｄ…装飾片、
２２３ａ〜２２３ｄ…連結腕、２３０ａ、２３０ｂ…アーム状案内部材、
２３１ａ、２３１ｂ…長手状案内穴部、２３３ａ〜２３３ｄ…ローラー、
２４１…ピニオン、２４２〜２４４…平歯車、
２５０ａ、２５０ｂ…ラック、２６０…コイルスプリング、
２５３ａ、２５３ｂ、２５４ａ、２５４ｂ…歯部、２７４ａ、２７４ｂ…セクター歯車部、
２７０ａ、２７０ｂ…長手状連結部材、２８０…ステップモータ。
【図１】
0005634196.tif 000002
【図２】
0005634196.tif 000003
【図３】
0005634196.tif 000004
【図４】
0005634196.tif 000005
【図５】
0005634196.tif 000006
【図６】
0005634196.tif 000007
【図７】
0005634196.tif 000008
【図８】
0005634196.tif 000009
【図９】
0005634196.tif 000010